(57)【特許請求の範囲】
【請求項１】
走行機体の前方に設けられた操作パネル部と、上方を作業者が移動自在なステップとを備え、該ステップは、前記操作パネル部の左右側方に設けられたフロントステップと、該フロントステップの後方で運転操作部の底部を形成するメインステップと、前記メインステップの左右側方に設けられたサイドステップと、を有してなる乗用移植機において、
前記サイドステップ及びメインステップを囲んで面一状に支持する外枠を備え、
前記サイドステップは、全面がスノコ状に構成されていると共に、外側縁が前記走行機体に対して平行な後半部と機体前方に向うほど機体内側に位置するように傾斜した前半部とから構成されかつ、前縁が前記メインステップの前縁と共に前記操作パネル部の後側面と整列するように配置され、
これらサイドステップ及びメインステップを、前記サイドステップの前縁の外端部が前記フロントステップの後縁の外端部よりも機体外側に位置するように該フロントステップの後縁と機体幅方向にオーバーラップさせて面一状に接続した、
ことを特徴とする乗用移植機。
【請求項２】
前記メインステップの両外側縁と前記サイドステップの内側縁とは、互いに接続して連続し、
前記メインステップの両外側縁は、機体後方に向って幅方向に拡がるように構成され、座席の左右側方部分に隣接して前記メインステップが配置されてなる、
請求項１記載の乗用移植機。
【発明の詳細な説明】
【技術分野】
【０００１】
本発明は、苗を圃場に移植する乗用型田植機などの乗用移植機に係り、詳しくは、上方を作業者が移動するステップに関する。
【背景技術】
【０００２】
従来、ステップ（乗降用ステップ、搭乗用ステップ）の左右側方に補助ステップを設けると共に、これら補助ステップに透視孔を形成し、作業者が運転座席に着座した状態で前輪の向きを確認可能な乗用移植機（乗用型田植機）が案出されている（特許文献１参照）。
【０００３】
【特許文献１】特許第３４１８１０３号公報
【発明の開示】
【発明が解決しようとする課題】
【０００４】
上記特許文献１記載の乗用移植機のように補助ステップに透視孔を設けると、作業者が着座した状態で前輪を目視することができるため、トラックなどへの機体の積込みが容易になると共に、機体の側方から乗り込む際には泥を落とすこともできるが、フロントステップ側から乗降する場合、補助ステップ上を作業者が通らないため、足に付着した泥を機外に落とすことが出来ない。また、ステップ上に落ちた泥はそのまま排出されずに堆積してしまい、溜まった泥に足を取られて転倒するおそれがあると共に、外観上も好ましくない。
【０００５】
そこで本発明は、フロントステップの後縁を、サイドステップ及びメインステップの前縁と当接させると共に、サイドステップをスノコ状に形成することによって、上記課題を解決した乗用移植機を提供することを目的とする。
【課題を解決するための手段】
【０００６】
請求項１に係る発明は、走行機体（５）の前方に設けられた操作パネル部（１３）と、上方を作業者が移動自在なステップ（１９）とを備え、該ステップ（１９）は、前記操作パネル部（１３）の左右側方に設けられたフロントステップ（１５）と、該フロントステップ（１５）の後方で運転操作部（１０）の底部を形成するメインステップ（１６）と、前記メインステップ（１６）の左右側方に設けられたサイドステップ（１７）と、を有してなる乗用移植機（１）において、
前記サイドステップ（１７）及びメインステップ（１６）を囲んで面一状に支持する外枠（２４）を備え、
前記サイドステップ（１７）は、全面がスノコ状に構成されていると共に、外側縁（１７ｄ）が前記走行機体（５）に対して平行な後半部と機体前方に向うほど機体内側に位置するように傾斜した前半部（１７ｆ）とから構成されかつ、前縁（１７ａ）が前記メインステップ（１６）の前縁（１６ａ）と共に前記操作パネル部（１３）の後側面（１３ａ）と整列するように配置され、
これらサイドステップ（１７）及びメインステップ（１６）を、前記サイドステップ（１７）の前縁（１７ａ）の外端部が前記フロントステップ（１５）の後縁（１５ａ）の外端部よりも機体外側に位置するように該フロントステップ（１５）の後縁（１５ａ）と機体幅方向にオーバーラップさせて面一状に接続した、
ことを特徴とする乗用移植機にある。
【０００７】
請求項２に係る発明は、前記メインステップ（１６）の両外側縁（１６ｂ）と前記サイドステップ（１７）の内側縁（１７ｂ）とは、互いに接続して連続し、
前記メインステップ（１６）の両外側縁（１６ｂ）は、機体後方に向って幅方向に拡がるように構成され、座席（１１）の左右側方部分に隣接して前記メインステップ（１６）が配置されてなる、
請求項１記載の乗用移植機にある。
【０００９】
なお、括弧内の符号等は、図面と対照するためのものであるが、これにより特許請求の範囲に何等影響を及ぼすものではない。
【発明の効果】
【００１０】
請求項１に係る発明によると、フロントステップの後方に連続して左右のサイドステップを設け、これらサイドステップをスノコ状に形成することによって、作業者が苗の補給などのためにフロントステップ側から乗降しても、上記スノコ状のサイドステップによって足に付着した泥を機外に落とすことができる。また、サイドステップから泥が排出されるためステップ上に泥が溜まらないと共に、サイドステップの前部は機体内側に位置しているため、作業者は着座した状態で足を伸ばして、泥を落としてから運転を開始することができる。更に、作業者は運転しつつ、サイドステップ越しに前輪を目視することができ、容易に移植機をトラックなどに積込むこともできる。また、サイドステップの外側縁の前半部を機体内側に向けて傾斜した形状にすることによって、幅の必要な機体後方の幅は確保しつつ、幅のあまり必要としない機体前方を狭くし、肥料タンクなどをサイドステップと干渉せずに自由に配置することができる。更に、サイドステップの前半部に足を引っ掛けることがなく、容易に乗降することができる。
【００１１】
請求項２に係る発明によると、メインステップを末広がり状に構成し、その後縁が座席近傍に位置することによって、作業者は安心してステップに足をついて、立ち上がったり、体の向きを変えたりすることができる。また、サイドステップの後縁が前縁よりも機体外側に位置することと相俟って、サイドステップをスノコ状に形成してもステップの強度を高く保つことができる。
【発明を実施するための最良の形態】
【００１３】
以下、本願発明に係る移植機１について図面に基づいて説明をする。移植機１は、図１乃至３に示すように、それぞれ左右一対の前輪２，２及び後輪３，３に支持された走行機体５を有しており、その後方には昇降リンク６を介して植付部７が昇降自在に取付けられている。上記走行機体５の前方には、ボンネット９に覆われたエンジンが搭載されていると共に、ステアリングハンドル１２及び操作パネル（操作パネル部）１３などからなる運転操作部１０が設けられており、作業者は運転座席１１に着座して移植機１を操作するように構成されている。
【００１４】
また、上記ボンネット９の左右側方には、フロントステップ１５が機体前方から前輪２，２の車軸２ａ，２ａの上方に亘って延設されており、該フロントステップ１５の後方には、運転操作部１０の床面（底部）を構成するメインステップ１６及びスノコ状のサイドステップ１７が連続して設けられている。これらフロントステップ１５、メインステップ１６及び左右一対のサイドステップ１７により、作業者がその上方を移動するステップ１９が構成されており、上記運転座席１１の機体前後方向中央部まで延設されている。また、運転座席１１はステップ１９の後方に設けられた機体カバー２０に取付けられており、該機体カバー２０の運転座席１１の左右側方は平坦に構成され、ステップ１９よりも一段高い苗供給用ステップ２１となっている。
【００１５】
次に、上記ステップ１９について詳しく説明をする。図４に示すように、上記走行機体５の機体フレーム２６は、機体中央部において前後に延びた左右一対のメインフレーム２２と、これら左右のメインフレーム２２から機体幅方向に延びる複数の横ステップフレーム２３と、これらの横ステップフレーム２３と交差して連結すると共に、機体前後方向に延びる縦ステップフレーム２５と、サイドステップ１７及びメインステップ１６の外周を囲う外枠２４などから構成されており、上記ステップ１９はこれらメインフレーム２２、横ステップフレーム２３、縦ステップフレーム２５及び外枠２４によって支持されている。
【００１６】
ステップ１９は、上述したようにフロントステップ１５、メインステップ１６及びサイドステップ１７が面一状に連設して構成されており、フロントステップ１５の後縁１５ａは、メインステップ１６の前縁１６ａ及びサイドステップ１７の前縁１７ａと機体幅方向にオーバーラップして当接している。また、これらフロントステップ１５の後縁１５ａ、メインステップ１６の前縁１６ａ、サイドステップ１７の前縁１７ａは、操作パネル１３の後側面１３ａの後端と略々同じ位置に整列して配設されている。
【００１７】
上記メインステップ１６は、その両外側縁１６ｂ，１６ｂが機体後方ほど外側に拡がった幅広な板状部材であり、その前縁１６ａよりも幅広な後縁１６ｃが運転座席１１の機体前後方向中央部に位置している。そのため、運転座席周辺の床面は鉄板に取付けられた強固なメインステップ１６によって形成されており、作業者は安心して、立ったり座ったり、体の向きを変えたりすることができる。また、メインステップ１６は、ステップ１９の構造部材であると共に、鉄板部分がエンジンの下方まで延びて、エンジンマウントを形成することもある。
【００１８】
更に、上記メインステップ１６の両外側縁１６ｂ，１６ｂは、サイドステップ１７の機体内側の側縁である内側縁１７ｂ，１７ｂと当接しており、それにより、左右のサイドステップ１７は、その後縁１７ｃが前縁１７ａよりも機体外側に位置している。
【００１９】
上記サイドステップ１７は、機体の下方まで連通した複数の孔もしくは間隙を有したスノコ状のステップであり、その外側縁１７ｄは機体に対して前後に平行な後半部１７ｅと、機体前半ほど機体内側に位置するように傾斜した前半部１７ｆとから構成されている。また、上記外側縁１７ｄの後半部１７ｅの側方には足乗せ台２７が設けられており、作業者はこの足乗せ台２７を使って、サイドステップ１７へと容易に乗降できるように構成されている。
【００２０】
図６は５条植えの移植機１を示した図であり、図７は６条植えの移植機１を示した図である。図６及び図７に示すように、５条及び６条植えのどちらの移植機１においても、前輪２，２の後方はサイドステップ１７の下方に位置しているが、上述したように左右のサイドステップ１７，１７はスノコ状のため、作業者は運転座席に着座した状態で、サイドステップ１７，１７越しに前輪２，２を目視することができる構成となっている。
【００２１】
特に、サイドステップ１７の前方が、機体内側に入り込んで形成されていると共に、その全面がスノコ状のため、サイドステップ１７，１７の下方に前輪２，２が位置するような５条植え移植機１でも、図３に示すようなサイドステップ１７，１７の側方に肥料タンク３０，３０を取付けた６条植えの移植機１でも、作業者は容易に前輪２，２の位置を確認できる。
【００２２】
次に上記肥料タンク３０について説明をする。図２及び図３に示すように、肥料タンク３０，３０はフロントステップ１５，１５の側方に、機体５から延びたブラケット３１，３１によって取付けられている。これら左右の肥料タンク３０，３０は、フロントステップ１５，１５と略々同じ高さに位置していると共に、施肥機（不図示）へと供給する肥料を貯留しており、その上面３４には肥料を補給する供給口３２，３２が設けられている。
【００２３】
図８及び図９に示すように、上記供給口３２は、肥料タンク３０に設けられた長孔３３に沿ってローラピン３５が移動するスライド蓋３６によって開閉されており、このスライド蓋３６が閉塞位置（図８（ａ），（ｂ）の位置）から肥料供給位置（図９（ａ），（ｂ）の位置）へと機体前方にスライドすることによって、作業者は肥料を補給することが出来るように構成されている。
【００２４】
上記スライド蓋３６は、その前方部分に円形状に窪んで形成された肥料袋を載置する載置部３６ａと、その後方部分にすり鉢状に形成された漏斗部３６ｂとを備えており、図８（ａ），（ｂ）に示すように、閉塞位置においては、上記載置部３６ａが供給口３２のストレーナ３２ａの上方に位置して、供給口３２を閉塞している。また、スライド蓋３６は、図８（ｃ），（ｄ）に示すように、上下方向にも回動自在に構成されており、上記漏斗部３６ｂが引っ掛からないように上方にスライド蓋３６を軽微に回動させた後、スライドさせることが出来るようになっている。
【００２５】
図９（ａ），（ｂ）は、スライド蓋３６が肥料供給位置である時の肥料タンク３０を示す図である。肥料供給位置においてスライド蓋３６は、そのすり鉢状に開口した漏斗部３６ｂが供給口３２のストレーナ３２ａの上方に位置しており、供給口３２を開放する。また、この際、スライド蓋３６は肥料タンク３０の上面３４に対して略々平行な平坦面となっており、作業者は該スライド蓋３６の載置部３６ａ上に肥料袋を載置し、漏斗部３６ｂから供給口３２へと肥料を補給することができるように構成されている。更に、図２及び３に示すように、スライド蓋３６は、肥料供給位置において、その前端が機体の前端よりも前方に位置しており、畦際から補助者が容易に肥料の補給を行える構成となっている。
【００２６】
なお、スライド蓋３６は、漏斗部３６ｂの底全体が開口した形状以外に、図９（ｃ）に示すような、漏斗部３６ｂの底部中心に形成された円形の孔が機体前方へと延びた鍵穴状の孔３６ｃを有した構成としても良い。これにより、上記鍵穴状の孔３６ｃに肥料袋３７の口３７ａ（図９（ｄ）参照）を引っ掛けて、肥料を補給することができる。
【００２７】
また、上記スライド蓋３６は、肥料供給位置で肥料袋を載置する載置台となる際に、肥料タンク３０の上面３４と平行でなく、上方へ軽微に回動した位置で固定され、肥料袋を漏斗部３６ｂへと倒しやすいように構成してもよい。
【００２８】
次に本実施の形態に係る移植機１の作用について説明する。作業者は苗を植付ける際、通常、足乗せ台２７に足を乗せて機体側部から乗り込み、サイドステップ１７で靴に付いた泥を落としてから、運転座席１１に着座する。運転座席１１に着座した作業者は、植付部７により苗を圃場に植え付け始めると共に、施肥機（不図示）によって施肥を行う。
【００２９】
作業者は、植付作業の途中で植付部７に苗が無くなると、肥料タンク３０の上方に取付けられる予備苗載せ台（不図示）から苗を取り出すか、機体５を畦に対して垂直に停め、畦際から補助者に予備苗を渡してもらい、フロントステップ１５及びサイドステップ１７上を通って、苗供給用ステップ２１から植付部７へと苗を補給していく。この時、肥料タンク３０に肥料が少ない場合には、畦際にいる補助者が、スライド蓋３６を前方へとスライドさせて苗供給位置にし、肥料袋を載置部３６ｂに載置して肥料タンク３０の供給口３２へとペースト肥料を補給する。
【００３０】
上記補給作業が終わると、作業者は運転座席１１に戻り、植付作業を続ける。この時、補給作業の途中で足に泥が付いた場合、機体内側に切れ込んでいるスノコ状のサイドステップ１７の前方に足を伸ばし、その泥を落とす。
【００３１】
作業者は、苗を圃場へ植付け終わると、サイドステップ１７越しに前輪２，２に向きを確認しながら、トラックへと移植機１を積み込み、作業を終了する。
【００３２】
上記のように移植機１を構成したことにより、幅の必要なステップ１９の後方の幅は確保しつつ、その前半の幅を狭く形成し、ステップ１９全体としてコンパクトかつ機能的な形状とすることができた。
【００３３】
また、サイドステップ１７の全面をスノコ状に形成し、その前方が機体５の内側に位置することによって、作業者が機体５の前方から乗降しても、サイドステップ１７で足に付いた泥を落とすことができる。更に、ステップ１９上に泥が溜まらず、泥によって足を滑らす心配がないと共に、外観的にも好ましい。また、機体５に着座した状態で靴に泥が付いていても、足を伸ばしてサイドステップ１７の前方で泥を落とすことができるため、泥で滑って操作ペダルを踏み外すことがない。更に、サイドステップ１７越しに前輪２，２を視認することができ、トラックへの積込みが容易であると共に、前輪２，２を透視するために新たに孔を作る必要がない。
【００３４】
また、メインステップ１６を末広がりの形状にし、その後縁を運転座席１１の機体前後方向中央近傍まで延設したため、作業者は安心して運転座席周りに足をついて、立ち上がったり、体の向きを変えたりすることができる。更に、足の置き心地も良いと共に、地面からの泥の跳ね返りが作業者に掛かることもない。また、サイドステップ１７を機体後方ほど外側に位置するように形成したこととも相俟って、ステップ１９の強度を強く保つことができる。
【００３５】
更に、サイドステップ１７の外側縁１７ｄの前半部１７ｆを、機体内側に向けて傾斜した形状にすることによって、ステップ１９をコンパクトに構成することができると共に、肥料タンク３０を、その容量を犠牲にすることなく、フロントステップ１５と略々同じ高さに配置できる。また、肥料タンク３０の蓋３６をスライド式にしたことにより、肥料タンク３０の上方に設けられる予備苗載せ台も低く設けることができ、これらが相俟って機体５の重心を下げることができる。更に、足乗せ台２７に一方の足を乗せた際、他方の足をサイドステップ１７へと乗せることが容易で、どのような人でも楽に乗降することができる。
【図面の簡単な説明】
【００３６】
【図１】本願発明の実施の形態に係る移植機の斜視図。
【図２】本願発明の実施の形態に係る移植機の側面図。
【図３】本願発明の実施の形態に係る移植機の平面図。
【図４】本願発明の実施の形態に係る移植機のステップ周りを示す要部平面図。
【図５】図４の側面図。
【図６】本願発明の実施の形態に係る５条植え移植機の平面図。
【図７】本願発明の実施の形態に係る６条植え移植機の平面図。
【図８】（ａ）閉塞状態の肥料タンクを示す平面図、（ｂ）閉塞状態の肥料タンクを示す側面図、（ｃ）スライド状態の肥料タンクを示す平面図、（ｄ）スライド状態の肥料タンクを示す側面図。
【図９】（ａ）肥料供給状態の肥料タンクを示す平面図、（ｂ）肥料供給状態の肥料タンクを示す側面図、（ｃ）別形態の肥料タンクを示す平面図、（ｄ）肥料袋を示す斜視図。
【符号の説明】
【００３７】
１      移植機
５      走行機体
９      ボンネット
１０    運転操作部
１１    運転座席
１３    操作パネル（操作パネル部）
１３ａ  操作パネルの後側面
１５    フロントステップ
１５ａ  フロントステップの後縁
１６    メインステップ
１６ａ  メインステップの前縁
１６ｂ  メインステップの外側縁
１７    サイドステップ
１７ａ  サイドステップの前縁
１７ｂ  サイドステップの内側縁
１７ｄ  サイドステップの外側縁
１７ｅ  サイドステップの外側縁の後半部
１７ｆ  サイドステップの外側縁の前半部
１９    ステップ
【図１】
0004996520.tif 000002
【図２】
0004996520.tif 000003
【図３】
0004996520.tif 000004
【図４】
0004996520.tif 000005
【図５】
0004996520.tif 000006
【図６】
0004996520.tif 000007
【図７】
0004996520.tif 000008
【図８】
0004996520.tif 000009
【図９】
0004996520.tif 000010